(57)【特許請求の範囲】
【請求項１】
左右の縦枠と上枠と下枠を方形状に枠組みした枠体にパネルを装着してカーテンウォールユニットを形成し、このカーテンウォールユニットを連結部材で建物躯体に取付けられたファスナーに取付けるカーテンウォールユニットの取付構造であって、
前記上枠は、ゴンドラガイド部と長手方向に連続し室内側に開口した凹条溝を有し、この上枠の端面が前記縦枠の内面に突き当て連結されて上枠に沿ってゴンドラが移動可能なカーテンウォールユニットとし、
前記連結部材は、縦枠に取付けられる縦枠取付部と、上枠に取付けられる上枠取付部と、ファスナーに取付けられるファスナー取付部を有し、
その縦枠取付部が縦枠の内面にボルトで固着して取付けられ、
前記上枠取付部が、前記上枠の凹条溝に挿入して取付けたボルトと、このボルトに螺合したナットで固着して取付けられ、
前記ファスナー取付部が、ファスナーの縦片にボルト・ナットで固着して取付けたことを特徴とするカーテンウォールユニットの取付構造。
【発明の詳細な説明】
【０００１】
【発明の属する技術分野】
本発明は、ユニット式カーテンウォールのカーテンウォールユニットを建物躯体に取付ける構造に関する。
【０００２】
【従来の技術】
ユニット式カーテンウォールは、左右の縦枠と上枠と下枠を方形状に枠組みした枠体にガラス、障子等のパネルを取付けてカーテンウォールユニットとし、このカーテンウォールユニットを建物躯体に上下方向、左右方向に連続して取付けたものである。
【０００３】
前述のカーテンウォールユニットを建物躯体に取付ける構造としては、例えば特開平８−２１８５２６号公報に示すように枠体の縦枠に連結部材を取付け、この連結部材を建物躯体に取付けたファスナーに取付けた連結構造が知られている。
【０００４】
【発明が解決しようとする課題】
前述の取付構造であると縦枠にかかる荷重を連結部材、ファスナーを介して建物躯体で支持できるが、上枠にかかる荷重は縦枠と上枠の連結部分を介して縦枠で支持される。このために、縦枠と上枠の連結部分に大きな負担が掛かり、縦枠と上枠の連結部分に隙間が生じ、その隙間に雨水が浸入する恐れがある。
【０００５】
また、縦枠と上枠を強固に連結して上枠にかかる荷重で連結部分に隙間が生じないようにすると、縦枠に大きな曲げ力が作用して縦枠が変形する恐れがある。
【０００６】
ユニット式カーテンウォールにおいては枠体を形成する上枠にゴンドラガイド部を形成し、このゴンドラガイド部にゴンドラのゴンドラガイドを接し、ゴンドラを左右方向に移動可能としたものが知られている。
【０００７】
このようなユニット式カーテンウォールにおいては上枠にゴンドラの荷重がかかるので、前述の縦枠と上枠の連結部分に隙間が生じること、縦枠が変形することが起り易い。
【０００８】
そこで、本発明は前述の課題を解決できるようにしたカーテンウォールユニットの取付構造を提供することを目的とする。
【０００９】
【課題を解決するための手段】
本発明は、左右の縦枠と上枠と下枠を方形状に枠組みした枠体にパネルを装着してカーテンウォールユニットを形成し、このカーテンウォールユニットを連結部材で建物躯体に取付けられたファスナーに取付けるカーテンウォールユニットの取付構造であって、
前記上枠は、ゴンドラガイド部と長手方向に連続し室内側に開口した凹条溝を有し、この上枠の端面が前記縦枠の内面に突き当て連結されて上枠に沿ってゴンドラが移動可能なカーテンウォールユニットとし、
前記連結部材は、縦枠に取付けられる縦枠取付部と、上枠に取付けられる上枠取付部と、ファスナーに取付けられるファスナー取付部を有し、
その縦枠取付部が縦枠の内面にボルトで固着して取付けられ、
前記上枠取付部が、前記上枠の凹条溝に挿入して取付けたボルトと、このボルトに螺合したナットで固着して取付けられ、
前記ファスナー取付部が、ファスナーの縦片にボルト・ナットで固着して取付けたことを特徴とするカーテンウォールユニットの取付構造である。
【００１０】
【作  用】
本発明によれば、カーテンウォールユニットの枠体を形成する上枠は、ゴンドラガイド部を有しているので、上枠に沿ってゴンドラを移動できるカーテンウォールユニットである。
前記枠体を形成する縦枠は連結部材の縦枠取付部とファスナー取付部でファスナーを介して建物躯体に取付けられるし、上枠は連結部材の上枠取付部とファスナー取付部でファスナーを介して建物躯体に取付けられる。
これにより、縦枠にかかる荷重、上枠にかかる荷重は連結部材、ファスナーを介して建物躯体でそれぞれ独立して支持され、その上枠にかかるゴンドラの荷重は連結部材とファスナーを介して建物躯体で支持されて縦枠にかかることがない。
したがって、縦枠の内面に上枠の端面を突き当て連結すると共に、その上枠に沿ってゴンドラが移動自在なカーテンウォールユニットでありながら、ゴンドラの荷重で縦枠と上枠の連結部分に隙間が生じたり、縦枠が変形することがない。
【００１１】
また、１つの連結部材で縦枠、上枠がファスナーを介して建物躯体に取付けてあるから、カーテンウォールユニットが建物躯体に対して変位した時に縦枠、上枠が同じ動きとなり、縦枠と上枠の連結部分に無理な力がかかることがない。
【００１６】
【発明の実施の形態】
図１に示すように、カーテンウォールユニット１を建物躯体２に上下方向、左右方向に連続して取付けてユニット式カーテンウォールを形成している。前記カーテンウォールユニット１は左右の縦枠３と上枠４と下枠５を方形状に枠組みして枠体６とし、その枠体６にガラス、障子等のパネル７を装着してある。
【００１７】
各枠体６の左右の縦枠３と上枠４の両端寄りが建物躯体それぞれに取付けられ、上の枠体６の下枠５と下の枠体６の上枠４が連結されている。
【００１８】
図２，図３，図４に示すように、上枠４と縦枠３は室外寄りに内向凹溝１０をそれぞれ有し、縦枠３の内面３ａに上枠４の端面４ａを突き当ててビス等で連結してあり、その各凹向凹溝１０が連続してパネル７の縦縁部、上縁部が装着してある。下枠５も同様である。
【００１９】
前記上枠４は図２に示すように上板１１と下板１２と室外縦板１３と室内縦板１４で中空形状で、その上板１１の室外寄りに上向きコ字状のゴンドラガイド部１５を有し、室内縦板１４に室内側に開口した凹条溝１６が長手方向に連続して形成してある。上枠４の下板１２には下向片１７が一体的に設けてあり、この下向片１７に押え片１８をビス固着し、その押え片１８と下向片１７で断熱材１９の上縁部を支持している。
この断熱材１９の縦縁部は図３に示すように縦枠３の内面３ａにビスで取付けた縦アタッチメント２０と、その縦アタッチメント２０にビス止めした押え片２１で支持してある。
【００２０】
前記建物躯体２にはファスナー３０が取付けてある。このファスナー３０はファスナーベース３１とユニットファスナー３２を備え、そのユニットファスナー３２の横片３３がファスナーベース３１にボルト３４で取付けてある。ファスナーベース３１の縦片３５の室外側面３５ａは上下方向に室内外方向に向けて円孤状に弯曲していると共に、その縦片３５の上部には支持片３６が室内側に向けて一体的に設けてある。このファスナー３０は左右に隣接したカーテンウォールユニット１の各縦枠３の室内側に位置している。
【００２１】
連結部材４０は縦枠取付部４１と上枠取付部４２とファスナー取付部４３と高さ調整部４４を有している。具体的には図５に示すように室外寄り部４５ａよりも室内寄り部４５ｂが上方に突出した縦板状の本体４５を有し、その室外寄り部４５ａに上下一対の面内方向に向う透孔４６が形成されて縦枠取付部４１としてある。本体４５の室内寄り部４５ｂの一側面に段部４５ｃが形成されて位置決め部としてある。
【００２２】
前記上枠取付部４２は本体４５の室内寄り部４５ｂの上部寄りにほぼ直角に一体的に設けた板状で、その室外側面４２ａは左右方向に室内外方向に向けて円孤状に突出した曲面で、その上枠取付部４２には面外方向に向う透孔４７が形成してある。
【００２３】
前記ファスナー取付部４３は本体４５の室内寄り部４５ｂの室内側端部の下部寄りにほぼ直角に一体的に設けた板状で、その室内側面４３ａは左右方向に室内外方向に向けて円孤状に突出した曲面で、そのファスナー取付部４３には面外方向に向う透孔４８が形成してある。
【００２４】
前記高さ調整部４４は本体４５の室内寄り部４５ｂの室内側端部の上部寄りに突出片４９を介して縦ボルト挿通部５０を一体的に設けてある。
【００２５】
縦枠取付部４１の一側面が縦枠３の内面３ａに接すると共に、段部４５ｃを室内側端面３ｂに当接し、かつ透孔４６を挿通したボルト５１で縦枠３に取付けてあり、その縦枠取付部４１の上端面が上枠４の下板１２に接し、かつ上枠取付部４２が上枠４の室内側縦板１４と対向すると共に、ファスナー取付部４３がファスナー３０の縦片３５と対向する。
【００２６】
上枠４の室内側縦板１４に形成した凹条溝１６にボルト５２の頭部が長手方向から挿入して取付けてあり、そのボルト５２のネジ部に上枠取付部４２の透孔４７を挿通してナット５３を螺合することで上枠取付部４２を上枠４の室内寄り部に取付ける。
【００２７】
ファスナー取付部４３の透孔４８とファスナー３０の縦片３５の透孔３７にボルト５４に挿通し、回り止め５５に設けたナット５６に螺合してファスナー取付部４３をファスナー３０の縦片３５に取付ける。
【００２８】
高さ調整部４４の縦ボルト挿通部５０に高さ調整ボルト５７を挿通してロックナット５８で上下方向に動かないようにロックし、その高さ調整ボルト５７をファスナー３０の支持片３６に当接する。これによってロックナット５８を弛めて高さ調整ボルト５７を上下に移動することでカーテンウォールユニットの取付け高さを調整できる。
【００２９】
図３，図４に示すように、左右に隣接するカーテンウォールユニット１は平行状態に対して若干傾斜して取付けてある。この取付角度を変えてもファスナー取付部４３の室内側面４３ａ（つまり、取付面）が左右方向に室内外方向に向けて弯曲した曲面形状であるから、ファスナー取付部４３をファスナー３０の縦片３５に強固に取付けできる。
【００３０】
また、上枠取付部４２の室外側面４２ａ（つまり、取付面）が左右方向に室内外方向に向けて弯曲した曲面形状であるから、上枠４と上枠取付部４２の取付角度を若干変更できる。
【００３１】
【発明の効果】
請求項１に係る発明によれば、カーテンウォールユニットの枠体を形成する上枠は、ゴンドラガイド部を有しているので、上枠に沿ってゴンドラを移動できるカーテンウォールユニットである。
前記枠体を形成する縦枠は連結部材の縦枠取付部とファスナー取付部でファスナーを介して建物躯体に取付けられるし、上枠は連結部材の上枠取付部とファスナー取付部でファスナーを介して建物躯体に取付けられる。
これにより、縦枠にかかる荷重、上枠にかかる荷重は連結部材、ファスナーを介して建物躯体でそれぞれ独立して支持され、その上枠にかかるゴンドラの荷重は連結部材とファスナーを介して建物躯体で支持されて縦枠にかかることがない。
したがって、縦枠の内面に上枠の端面を突き当て連結すると共に、その上枠に沿ってゴンドラが移動自在なカーテンウォールユニットでありながら、ゴンドラの荷重で縦枠と上枠の連結部分に隙間が生じたり、縦枠が変形することがない。
【００３２】
また、１つの連結部材で縦枠、上枠がファスナーを介して建物躯体に取付けてあるから、カーテンウォールユニットが建物躯体に対して変位した時に縦枠、上枠が同じ動きとなり、縦枠と上枠の連結部分に無理な力がかかることがない。
【図面の簡単な説明】
【図１】ユニット式カーテンウォールの一部外観図である。
【図２】カーテンウォールユニット取付部の縦断面図である。
【図３】図２のＡ−Ａ断面図である。
【図４】図２のＢ−Ｂ断面図である。
【図５】連結部材の斜視図である。
【符号の説明】
１…カーテンウォールユニット
２…建物躯体
３…縦枠
４…上枠
５…下枠
６…枠体
７…パネル
１５…ゴンドラガイド部
３０…ファスナー
４０…連結部材
４１…縦枠取付部
４２…上枠取付部
４３…ファスナー取付部
４３ａ…室内側面（取付面）
【図１】
0003539202.tif 000002
【図２】
0003539202.tif 000003
【図３】
0003539202.tif 000004
【図４】
0003539202.tif 000005
【図５】
0003539202.tif 000006